(57)【要約】【課題】作業効率の悪化を伴うことなく、容器本体内の絶縁油の劣化具合及び変圧比を視認できる。【解決手段】変圧装置１００は、変圧器１３と、変圧器１３を収容する容器１０とを備えている。そして、容器１０は、変圧器１３を出し入れするための開口部１１ａを有する容器本体１１と、開口部１１ａを覆う蓋１２と、を備え、蓋１２には、変圧器１３における変圧比を視認可能とする窓部１２ａが形成されている。【選択図】図２
2007005566.tif 000002
【特許請求の範囲】
【請求項１】
変圧器と、該変圧器を収容する容器とを備えた変圧装置であって、
前記容器は、
前記変圧器を出し入れするための開口部を有する容器本体と、
前記開口部を覆う蓋と、
を備え、
前記蓋には、前記変圧器における変圧比を視認可能とする窓部が形成されていることを特徴とする変圧装置。
【請求項２】
請求項１に記載の変圧装置において、
前記蓋は、
前記窓部を覆う外蓋と、
前記蓋及び前記外蓋に連結され、該蓋に対して前記外蓋を開閉自在とする蝶番部と、
を備えている、変圧装置。
【請求項３】
変圧器と、該変圧器を収容する容器とを備えた変圧装置であって、
前記容器は、
前記変圧器を出し入れするための開口部を有する容器本体と、
前記開口部を覆う蓋と、
前記容器本体及び前記蓋に連結され、該容器本体に対して該蓋を開閉自在とする蝶番部と、
を備えていることを特徴とする変圧装置。
【請求項４】
請求項３に記載の変圧装置において、
前記蓋は、前記蝶番部を支点として開かれて保持棒により保持され、該保持棒の一端が固定される第１固定部を内面に有し、
前記容器本体は、前記保持棒の他端が固定される第２固定部を内壁面に有する、変圧装置。
【請求項５】
請求項３に記載の変圧装置において、
前記蓋は、前記蝶番部を支点として開かれて保持棒により保持され、該保持棒の一端が固定される固定部を内面に有し、
前記保持棒の一端が前記蓋の内面に固定され、且つ、前記保持棒の他端が電柱に固定されることにより、前記蓋の開状態が保持される、変圧装置。
【請求項６】
変圧器と、該変圧器を収容する容器とを備えた変圧装置であって、
前記容器は、
前記変圧器を出し入れするための開口部を有する容器本体と、
前記開口部を覆う蓋と、
を備え、
前記蓋は、前記開口部の上方に配置されることにより開かれて保持具により保持され、該保持具の一端側が固定される固定部を有し、
前記保持具の他端側は、前記蓋が開かれたときに前記容器本体の前記開口部に固定されることを特徴とする変圧装置。
【発明の詳細な説明】
【技術分野】
【０００１】
本発明は、変圧装置に関する。
【背景技術】
【０００２】
従来より、非特許文献１に記載のように、変圧装置は、電柱に取り付けられており、変電所から配電線内を通って送られた電気の電圧値を一般家庭で使用可能な電圧値に変更している。
【０００３】
変圧装置は、一般に、変圧器と、変圧比を表示するタップ表示装置と、バケツ状の容器本体と、容器本体の開口部を覆う蓋とで構成されている。そして、変圧器、タップ表示装置及び変圧器とタップ表示装置などとを配線する配線などは、絶縁油で密閉されて容器本体に収容されている。これにより、変圧器などへの外部電圧の印加を阻止できる。
【０００４】
そして、絶縁油の劣化による外部からの電圧の印加を防止するために、絶縁油の劣化具合を必要の都度調べる。また、所望の電圧が各家庭に送電されていることを確認する必要がある。そのため、作業者は、必要の都度、蓋を開けて、絶縁油の劣化具合及びタップ表示装置に表示される変圧比を視認している。
【非特許文献１】http://www.tepco.co.jp/custom/LapLearn/ency/from01-j.html
【発明の開示】
【発明が解決しようとする課題】
【０００５】
しかしながら、一般に、変圧装置の設置場所には蓋を置くスペースがなく、変圧装置の点検を実施する場合には、変圧装置が２台設置されていれば、点検を実施していない変圧装置へ蓋を仮置きし落下防止措置を施し、変圧装置が１台しか設置されていなければ、片手で蓋を保持しながら作業を行わなければならない。よって、作業効率は良くない。
【０００６】
本発明は、かかる点に鑑みてなされたものであり、その目的とするところは、作業効率の悪化を伴うことなく、絶縁油の劣化具合や変圧比を視認できる変圧装置とすることにある。
【課題を解決するための手段】
【０００７】
本発明の第１、第２及び第３の変圧装置は、いずれの変圧装置も、変圧器と、該変圧器を収容する容器とを備えている。
【０００８】
そして、第１の変圧装置では、前記容器は、前記変圧器を出し入れするための開口部を有する容器本体と、前記開口部を覆う蓋と、を備え、前記蓋には、前記変圧器における変圧比を視認可能とする窓部が形成されている。
【０００９】
このような構成により、窓部から覗くことにより、絶縁油の劣化具合や変圧比の数値を視認することができる。従って、蓋を開けることなく確認作業ができるため、効率よく作業を行うことができる。
【００１０】
本発明の第１の変圧装置においては、前記窓部に透光性部材が嵌合されていてもよい。
【００１１】
このような構成により、窓部から空気中の粉塵が容器本体の内部へ侵入することを阻止できる。
【００１２】
本発明の第１の変圧装置においては、前記蓋は、前記窓部を覆う外蓋と、前記蓋及び前記外蓋に連結され、該蓋に対して前記外蓋を開閉自在とする蝶番部と、を備えていることが好ましい。
【００１３】
このような構成により、窓部から空気中の粉塵が容器本体の内部へ侵入することを阻止できる。その上、窓部から太陽光などの光が入射されることを阻止でき、光の入射による絶縁油の劣化を防止することができる。そのうえ、蝶番部を備えているため、外蓋を容易に開閉できる。
【００１４】
また、本発明の第２の変圧装置では、前記容器は、前記変圧器を出し入れするための開口部を有する容器本体と、前記開口部を覆う蓋と、前記容器本体及び前記蓋に連結され、該容器本体に対して該蓋を開閉自在とする蝶番部と、を備えている。
【００１５】
このような構成により、蓋を容器本体から取り外すことなく作業することができる。そのため、変圧装置が高所に設置されているときでも、点検を実施していない変圧装置への蓋の仮置き、または、片手での蓋の保持などの作業を省くことができる。よって、効率良く確認作業を行うことができる。
【００１６】
第２の変圧装置においては、後述の好ましい実施形態では、前記蓋は、前記蝶番部を支点として開かれて保持棒により保持され、該保持棒の一端が固定される第１固定部を内面に有し、前記容器本体は、前記保持棒の他端が固定される第２固定部を内壁面に有する。別の好ましい実施形態では、前記蓋は、前記蝶番部を支点として開かれて保持棒により保持され、該保持棒の一端が固定される固定部を内面に有し、前記保持棒の一端が前記蓋の内面に固定され、且つ、前記保持棒の他端が電柱に固定されることにより、前記蓋の開状態が保持される。
【００１７】
また、本発明の第３の変圧装置では、前記容器は、前記変圧器を出し入れするための開口部を有する容器本体と、前記開口部を覆う蓋と、を備え、前記蓋は、前記開口部の上方に配置されることにより開かれて保持具により保持され、該保持具の一端側が固定される固定部を有し、前記保持具の他端側は、前記蓋が開かれたときに前記容器本体の前記開口部に固定される。
【００１８】
このような構成により、変圧装置が高所に設置されているときでも、蓋を高所から地上に置きに行く、または、高所での作業終了後、地上に置いた蓋を高所から地上まで取りに行くなどという手間を省くことができる。よって、効率良く作業を行うことができる。
【発明の効果】
【００１９】
本発明によれば、作業効率の悪化を伴うことなく、絶縁油の劣化具合や変圧比を視認できる。
【発明を実施するための最良の形態】
【００２０】
以下、本発明の実施形態を図面に基づいて詳細に説明する。以下の図面においては、説明の簡潔化のため、実質的に同一の機能を有する構成要素を同一の参照符号で示す。なお、本発明は以下に示す実施形態に限定されない。
【００２１】
《発明の実施形態１》
実施形態１では、図１乃至図３を用いて、変圧装置１００の構造を示す。なお、図１は、変圧装置１００の使用例を示す模式図であり、図２は、変圧装置１００の断面図であり、図３は、蓋１２の平面図である。
【００２２】
まず、図１を用いて、変圧装置１００の使用例を示す。
【００２３】
変圧装置１００は、図１に示すように、電柱１に取り付けられている。電柱１には、図１に示すように、上方には高圧配電線２が配線され、電柱１と略垂直に第１設置部４が配置されている。そして、高圧配電線２は、第１設置部４に設置された第１接触部６と電気的に接触している。それよりも若干下方には低圧配電線３が配線されており、さらに下方には電柱１と略垂直に第２設置部５が配置されている。この第２設置部５には、変圧装置１００と第２接続部７とが設置されており、変圧装置１００と第２接続部７とは電気的に接続されている。そして、第１接触部６と第２接触部７とは、接続線９を介して電気的に接続されている。
【００２４】
変電所で作られた電気は、高圧配電線２内を通って電柱１まで送られ、第１接触部６から接続線９を通って第２接触部７へ送られ、その後、変圧装置１００に送られて変圧され、低圧配電線３を通って各家庭へ送られる。
【００２５】
次に、図２を用いて、変圧装置１００の構成を示す。
【００２６】
変圧装置１００は、図２に示すように、容器１０と、容器１０内に収容された変圧器１３、変圧比を表示するタップ表示装置１４、変圧器１３とタップ表示装置１４などとを配線する配線（不図示）とで構成されている。容器１０は、容器本体１１と、蓋１２とで構成されている。また、容器本体１１には、絶縁油１５が入っており、変圧器１３及びタップ表示装置１４を密閉している。これにより、変圧器１３やタップ表示装置１４などへの外部電圧の印加を防止することができる。
【００２７】
容器本体１１は、金属製のバケツ状に形成されている。
【００２８】
蓋１２は、容器本体１１と略同一の金属からなり、容器本体１１の開口部１１ａを蓋しており、連結具（不図示）により連結固定されている。そして、蓋１２には、タップ表示装置１４に表示される変圧比を視認可能とする窓部１２ａが形成されている。これにより、蓋１２の開閉を伴うことなく、変圧比や絶縁油１５の劣化具合を視認することができる。
【００２９】
変圧器１３は、リング状の鉄心と鉄心の２箇所に各々巻き付けられた巻線と（いずれも不図示）で構成されている。一方の巻線（電源側の巻線）に交流電源からの電圧が印加されると、電磁誘導により他方の巻線（起動側の巻線）に電気力が発生する。そして、発生する電気力は、電源側の巻き回数と起動側の巻き回数との比に比例する。そのため、起動側の巻線の巻き回数を調整することにより、所望とする起動力を得ることができる。
【００３０】
タップ表示装置１４は、変圧比を表示する表示部が上方を向くように容器本体１１内に設置されている。
【００３１】
次に、作業者が変圧装置１００で行う作業内容を示す。
【００３２】
容器本体１１には、絶縁油１５が入っている。そして、絶縁油１５が劣化してしまうと、その絶縁性が低下する虞があり、その結果、変圧器１３やタップ表示装置１４などに外部電圧が印加されてしまう虞がある。そのため、必要の都度、絶縁油１５の劣化具合を調べ、劣化する前に絶縁油１５の交換などの処置をとる。
【００３３】
また、容器本体１１には、タップ表示装置１４が収容されている。そして、作業者は、必要により、所定の電圧の電力が各家庭に供給されていることを確認する必要がある。すなわち、作業者が変圧装置１００で行う作業内容は、タップ表示装置１４が表示する変圧比や絶縁油１５の劣化具合の視認である。そして、作業者は、この作業内容を必要の都度行う。
【００３４】
続いて、変圧装置１００での作業手順を示す。
【００３５】
まず、作業者は、電柱に昇るなどして、変圧装置１００の設置場所へ赴く。
【００３６】
次に、窓部１２ａから容器本体１１の内部を視認し、タップ表示装置１４が表示する変圧比や絶縁油１５の劣化具合を視認する。
【００３７】
続いて、タップ表示装置１４が表示している変圧比や絶縁油１５が正常であることを確認したら、作業者は変圧装置１００から離れて電柱から降りる。
【００３８】
以上より、変圧装置１００には、蓋１２に窓部１２ａが形成されているため、窓部１２ａから容器本体１１の内部をのぞくことにより、タップ表示装置１４が表示している変圧比や絶縁油１５の劣化具合の視認などを行うことができる。従って、蓋１２の開閉を伴うことなく作業を行うことができるため、作業効率の向上を図ることができる。
【００３９】
また、図１に示すように、変圧装置１００が高所に設置されている場合、高所での作業時間が短縮される。そのため、作業の危険度は、窓部が形成されていない変圧装置での作業の危険度に比べて低下する。
【００４０】
なお、本実施形態において、窓部１２ａは、タップ表示装置１４が表示する変圧比が視認可能となる位置に形成されているとしたが、蓋１２の直上方から視認可能となる位置であっても、蓋１２の斜め上方から視認可能となる位置であってもよい。また、窓部１２ａは、容器本体１１の側面に形成されていてもよい。
【００４１】
また、蓋１２は、以下の変形の形態１及び２に示す構成であってもよい。
【００４２】
（変形の形態１）
図４は、変形の形態１における変圧器の蓋２２の平面図である。
【００４３】
蓋２２は、図４に示すように、窓部２２ａにガラス板などの透光性部材２４が嵌合されている。これにより、本形態における変圧装置は、上記実施形態１における変圧装置１００が奏する効果だけでなく、容器本体内部への粉塵の混入を阻止することができるという効果も奏する。
【００４４】
なお、透光性部材２４は、透過率が７０％以上の材質からなることが好ましい。また、作業手順は、上記実施形態１における変圧装置１００での作業手順と略同一である。
【００４５】
（変形の形態２）
図５は、変形の形態２における変圧器の蓋３２の斜視図である。
【００４６】
蓋３２は、窓部３２ａを有しており、窓部３２ａは、外蓋３４に覆われている。そして、蓋３２及び外蓋３４には蝶番部３５が連結されており、これにより、外蓋３４が蓋３２に対して開閉自在となる。
【００４７】
そして、作業者が作業する際には、まず、変圧装置の設置場所へ赴き、蝶番部３５を支点として外蓋３４を開ける。次に、窓部３２ａから容器本体の内部を視認し、変圧比や絶縁油が正常であることを確認したら、外蓋３４を閉めて変圧装置から離れる。
【００４８】
以上より、本形態における変圧装置は、上記変形の形態１における変圧装置１００が奏する効果だけでなく、太陽光などの光が窓部から容器本体の内部へ入射されることを阻止でき、その入射による絶縁油の劣化を防止できるという効果も奏する。
【００４９】
また、蝶番部３５を備えているため、外蓋３４を容易に開けることができるとともに、開けた外蓋３４を置いておく場所を要しない。
【００５０】
なお、外蓋３４は、蓋３２全体を覆うように形成されていてもよい。その場合であっても、蓋３２に対して外蓋を開閉自在とする蝶番部が形成されていることが好ましい。
【００５１】
《発明の実施形態２》
実施形態２では、図６及び図７を用いて、変圧装置４００の構成及び蓋が開いたときの状態を示す。なお、図６は、本実施形態における変圧装置４００の断面図であり、図７は、作業時における変圧装置４００の断面図である。また、上記実施形態１における記載と重複する箇所については、説明を省略する。
【００５２】
まず、変圧装置４００の構成を示す。
【００５３】
変圧装置４００は、容器４０の構成を、上記実施形態１に記載の変圧装置１００と異にする。容器４０は、容器本体４１と、蓋４２と、容器本体４１と蓋４２とを連結する蝶番部４５とで構成されている。そのため、蓋４２は、蝶番部４５を支点として、開閉自在である。
【００５４】
容器本体４１は、上記実施形態１に記載の容器本体１１と略同一であるが、内壁面に凹部（第２固定部）４１ｂを備えている。この凹部４１ｂは、蓋４２を開いたときに、蓋４２を保持する保持棒４７の他端４７ｂが嵌合されて固定される部分であり、蝶番部４５が連結されている部分から最も離れた部分の容器本体４１の内壁面に形成されている。
【００５５】
蓋４２は、上記実施形態１に記載の蓋１２と略同一であるが、内面に凹部（第１固定部）４２ｂを備えている。この凹部４２ｂは、凹部４１ｂと同様、蓋４２を開いたときに、保持棒４７の一端４７ａが嵌合されて固定される部分であり、蓋４２を開くときの力点付近の内面に形成されている。
【００５６】
次に、変圧装置４００での作業手順を示す。
【００５７】
まず、保持棒４７を持参していることを確認後、蝶番部４５を支点として変圧装置４００の蓋４２を開ける。
【００５８】
次に、保持棒４７の一端４７ａを蓋４２の内面の凹部４２ｂに嵌合させ、保持棒４７の他端４７ｂを容器本体４１の内壁面の凹部４１ｂに嵌合させる。これにより、蓋４２は保持棒４７に保持される。そして、作業者は作業を行う。
【００５９】
作業終了後、保持棒４７の両嵌合を解除して、蓋４２を閉める。
【００６０】
以上より、本実施形態では、容器本体４１及び蓋４２が、各々、蓋４２の開状態を維持できる構成であるため、蓋４２を取り外すことなく作業を行うことができる。そのため、変圧装置４００が高所に設置されている場合であっても、点検を実施していない変圧装置へ蓋を仮置いたり、片手で蓋を保持しながら作業する必要はない。よって、作業効率を向上させることができ、また、危険を伴うことなく作業を行うことができる。
【００６１】
なお、凹部４１ｂは、蝶番部４５が連結されている部分から最も離れた部分に限定されることなく容器本体４１の内壁面に形成することができ、凹部４２ｂは、蓋４２を開くときの力点付近に限定されることなく蓋４２の内面に形成することができる。また、固定部４１ｂ，４２ｂの形状は凹部に限定されることはなく、作業中に保持棒４７の保持状態が解除しない程度の強度で保持棒４７を固定することができる形状であればよい。
【００６２】
また、保持棒４７は、棒状に限定されることはなく、蓋４２の開状態を維持できる形状及び材質であれば構わない。なお、保持棒４７の形状は、凹部４２ｂと凹部４１ｂとの位置関係に応じて、決定されることが好ましい。また、保持棒４７は、容器本体４１内に、取り出し可能に収容されていてもよい。
【００６３】
また、以下の変形の形態１に示す方法により、開状態が維持されてもよい。
【００６４】
（変形の形態１）
図８は、変形の形態１における変圧装置５００を示す模式図である。
【００６５】
まず、変圧装置５００の構成を示す。
【００６６】
変圧装置５００は、蓋５２の構成を、上記実施形態１に記載の変圧装置１００と異にする。そして、蓋５２は、略半円のリング状部材の掛合部５２ａ（固定部）を外面に備えている。
【００６７】
次に、変圧装置５００での作業手順を示す。なお、本実施形態における保持棒５７は、上記実施形態２における保持棒４７と異なり、両端に、各々、フック部５７ａ，５７ａを備えている。
【００６８】
まず、変圧装置５００の設置場所よりも上方の電柱１の側面に、鉄線Ｌを巻き付け、鉄線Ｌに保持棒５７の一方のフック部５７ａを引っ掛ける。
【００６９】
次に、蓋５２を開け、保持棒５７の他方のフック部５７ａを蓋５０の掛合部５２ａに引っ掛ける。これにより、蓋５２の開状態は維持され、作業者は作業を行う。
【００７０】
作業終了後、保持棒５７の他方のフック部５７ａを掛合部５２ａから外し、蓋５２で蓋をしてから、保持棒５７の一方のフック部５７ａを鉄線Ｌから外す。そして、鉄線Ｌ及び保持棒５７を持ち帰る。
【００７１】
これにより、作業中、蓋５２の開状態は維持されているため、変圧装置５００は上記実施形態２に記載の変圧装置４００と略同一の効果を奏する。
【００７２】
なお、蓋５２は、外面に掛合部５２ａを備えているとしたが、内面に溝部（不図示）を備えていてもよい。その場合には、溝部内部に他方のフック部５７ａを引っ掛けることにより、蓋５２の開状態を維持させることができる。
【００７３】
《発明の実施形態３》
実施形態３では、図９を用いて、変圧装置６００の構成及び蓋６２が開いたときの状態を示す。なお、図９は、蓋６２が開いたときの変圧装置６００の断面図である。
【００７４】
まず、変圧装置６００の構成を示す。
【００７５】
変圧装置６００は、蓋６２の構成を、上記実施形態１に記載の変圧装置１００と異にする。そして、蓋６２の内面には、凹部（固定部）６２ａ，６２ａが２箇所形成されている。
【００７６】
次に、変圧装置６００での作業手順を示す。なお、本実施形態における保持具６７は、２本の保持棒６６，６６と２つの掛合具６８，６８とで構成されている。各保持棒６６の一端（保持具の一端側）は、蓋６２の各凹部６２ａに嵌合される。各掛合具６８は、板状部材の対向する両端部が互いに逆向きに２回に折曲されて形成されており、一方の端部側（保持具の他端側）が容器本体６１の開口部に引っ掛けられて固定され、他方の端部側が保持棒６６の他端を嵌合する。
【００７７】
まず、蓋６２を若干開けて、各掛合具６８の一方の端部側を容器本体６１の開口部に嵌合させ、各掛合具６８の他方の端部側に保持棒６７の他端を嵌合させる。
【００７８】
次に、蓋６２の各凹部６２ａに、保持棒６７の一端を嵌合させる。これにより、蓋６２の開状態は維持され、作業者は作業を行う。
【００７９】
作業終了後、蓋６２の各凹部６２ａと各保持棒６６との嵌合を解除し、容器本体６１の開口部から掛合具６８を取り外して、蓋６２を閉める。
【００８０】
以上より、本実施形態の変圧装置６００は、上記実施形態２に記載の変圧装置４００と略同一の効果を奏する。
【００８１】
なお、本実施形態において、保持具６７は、容器本体６１内に、取り出し可能に収容されていてもよく、掛合具６８は、容器本体６１の開口部に一体に形成されていてもよい。
【００８２】
また、掛合具６８の形状は、特に限定されることはなく、容器本体の開口部に掛かり合う部分と保持棒が嵌合する部分とを備えていればよい。
【産業上の利用可能性】
【００８３】
以上説明したように、本発明は、変圧装置について有用である。
【図面の簡単な説明】
【００８４】
【図１】本実施形態１における変圧装置１００の設置状況を示す模式図である。
【図２】本実施形態１における変圧装置１００の構成を示す図である。
【図３】本実施形態１における変圧装置１００の蓋１２の平面図である。
【図４】本実施形態１の変形の形態１における変圧装置の蓋２２の平面図である。
【図５】本実施形態１の変形の形態２における変圧装置の蓋３２を示す図である。
【図６】本実施形態２における変圧装置４００の構成を示す図である。
【図７】本実施形態２における変圧装置４００の作業時における構成を示す図である。
【図８】本実施形態２の変形の形態１における変圧装置５００の作業時における構成を示す図である。
【図９】本実施形態３における変圧装置６００の構成を示す図である。
【符号の説明】
【００８５】
１０，４０，５０，６０    容器
１１，４１，５１，６１    容器本体
１２，２２，３２，４２，５２，６２    蓋
１２ａ，２２ａ，３２ａ    窓部
１３    変圧器
３４    外蓋
３５，４５，５５    蝶番部
４１ｂ    凹部（第２固定部）
４２ｂ    凹部（第１固定部）
４７，５７    保持棒
５２ａ    掛合部（固定部）
６２ａ    凹部（固定部）
６７    保持具
１００，４００，５００，６００    変圧装置
【図１】
2007005566.tif 000003
【図２】
2007005566.tif 000004
【図３】
2007005566.tif 000005
【図４】
2007005566.tif 000006
【図５】
2007005566.tif 000007
【図６】
2007005566.tif 000008
【図７】
2007005566.tif 000009
【図８】
2007005566.tif 000010
【図９】
2007005566.tif 000011